(57)【要約】【課題】電子機器の低消費電力化と、描画パフォーマンスとを両立する。【解決手段】電子機器１は、第１表示更新部３２が第１表示部２４の表示を更新するために出力した表示データを、転送部１８，２２により第１表示部２４へ転送し、第１表示部２４に表示する。また、電子機器１の休止制御部３５は、第１表示更新部３２による表示データの転送間隔ＴＡが、休止制御部３５の休止制御により転送部１８，２２が起動状態から休止状態へ移行する休止移行期間ＴＣと、休止制御部３５の起動制御により転送部１８，２２が休止状態から起動状態へ移行する起動移行期間ＴＢとの合計期間より長い場合に、第１表示更新部３２の次の表示データの転送まで、転送部１８，２２を休止状態に制御する。【選択図】図３
2011028178.tif 000002
【特許請求の範囲】
【請求項１】
表示データを表示する第１表示部と、
前記第１表示部の表示を更新するための表示データを出力する第１表示更新部と、
前記第１表示更新部と前記第１表示部との間に接続され、前記第１表示更新部が出力した表示データを前記第１表示部へ転送する転送部と、
前記転送部を、前記表示データの転送が可能な起動状態、および前記表示データの転送をしない休止状態に制御する休止制御部と
を有し、
前記休止制御部は、
前記第１表示更新部が出力した表示データと前記第１表示更新部が次に出力する予定の表示データとの転送間隔が、前記休止制御部の休止制御により前記転送部が起動状態から休止状態へ移行するために要する休止移行期間と、前記休止制御部の起動制御により前記転送部が休止状態から起動状態へ移行するために要する起動移行期間との合計期間より長い場合に、前記第１表示更新部が次の表示データを出力するまで、前記転送部を休止状態に制御する
電子機器。
【請求項２】
前記休止制御部は、
前記転送部が表示データを転送し終えた時点で、前記転送間隔と前記合計時間とを比較し、
前記転送間隔が前記合計時間より長い場合には、前記転送部を休止制御し、
前記転送部を休止制御した場合にはさらに、前記転送部を休止制御してからの経過時間が、前記転送間隔から前記起動移行期間を減算した時間になった時点で、前記転送部を起動制御する
請求項１記載の電子機器。
【請求項３】
前記電子機器は、
前記第１表示部とは異なる表示データを表示する第２表示部と、
第１表示更新部とは独立して、前記第２表示部の表示を更新するための表示データを出力する第２表示更新部と
を有し、
前記転送部は、
前記第２表示更新部が出力した表示データを前記第２表示部へ転送して、前記第１表示部への表示データの転送と前記第２表示部への表示データの転送とに共通に用いられ、
前記休止制御部は、
前記転送間隔と前記合計時間との比較処理において、前記第１表示更新部における転送間隔および前記第２表示更新部における転送間隔のうちから選択される短い方の転送間隔を、前記合計時間と比較する
請求項２記載の電子機器。
【請求項４】
前記電子機器は、携帯電話機であり、
前記第１表示部は、前記携帯電話機のメイン表示部であり、
前記第１表示更新部は、複数の表示データを、前記合計時間より短い転送間隔で連続的に前記メイン表示部へ出力し、
前記第２表示部は、前記携帯電話機のサブ表示部であり、
前記第２表示更新部は、複数の表示データを、前記合計時間より長い転送間隔で離散的に前記サブ表示部へ出力する
請求項３記載の電子機器。
【請求項５】
前記電子機器は、
前記転送部が最後の表示データを転送し終えた時点から所定の経過時間が経過した場合に、前記転送部を前記休止状態に制御する停止制御部
を有する請求項１から４のいずれか一項記載の電子機器。
【請求項６】
前記停止制御部は、
前記経過時間として、前記第１表示更新部が連続した表示データを出力する場合の最小の転送間隔よりも長い時間を計測し、
前記休止制御部は、
前記第１表示更新部および前記第２表示更新部のうちの、前記第２表示更新部のみが複数の表示データを出力する場合に、前記第２表示更新部による複数の表示データの転送間隔において、前記転送部を休止状態に制御可能な時間を計測し、
当該時間を計測した場合に、前記第１表示更新部の次の表示データを転送するまで、前記転送部を休止状態に制御する
を有する請求項５記載の電子機器。
【請求項７】
前記休止制御部は、
前記第１表示更新部および前記第２表示更新部のうちの、前記第２表示更新部のみが複数の表示データを出力する場合に、前記第２表示更新部による複数の表示データの転送間隔において、前記転送部を休止状態に制御する
請求項４記載の電子機器。
【請求項８】
前記電子機器は、バッテリにより駆動され、
前記休止制御部は、
前記バッテリの残量が所定値以下になった場合には、前記第１表示更新部が複数の表示データを出力する場合にも、前記転送部を休止状態に制御する
請求項７記載の電子機器。
【請求項９】
前記第１表示更新部は、
前記バッテリの残量が所定値以下になった場合には、本来出力すべき複数の表示データを間引いて出力する
請求項８記載の電子機器。
【請求項１０】
前記第２表示更新部は、
時刻を表示するための複数の表示データを、一定の転送間隔で前記サブ表示部へ出力する
請求項４〜９のいずれか一項記載の電子機器。
【請求項１１】
前記電子機器は、
表示データを表示する第２表示部と、
前記第２表示部の表示を更新するための表示データを出力する第２表示更新部と
を有する携帯電話機であり、
前記第１表示部は、前記携帯電話機のメイン表示部であり、
前記第１表示更新部は、複数の表示データを、前記合計時間より短い転送間隔で連続的に前記メイン表示部へ出力し、
前記第２表示部は、前記携帯電話機のサブ表示部であり、
前記第２表示更新部は、複数の表示データを、前記合計時間より長い転送間隔で離散的に前記サブ表示部へ出力し、
前記休止制御部は、
前記第１表示更新部および前記第２表示更新部のうちの、前記第２表示更新部のみが表示データを出力する場合に、前記転送部が表示データを転送し終えると、次の表示データを転送するまで、前記転送部を休止制御する
請求項１記載の電子機器。
【発明の詳細な説明】
【技術分野】
【０００１】
本発明は、表示部を有する携帯電話機などの電子機器に関する。
【背景技術】
【０００２】
特許文献１は、ディスプレイコントローラが表示部に内蔵されたＲＡＭに１画面分の更新画像データを転送し終えたタイミングにおいて、転送完了後の経過時間をタイマ計測する。
そして、特許文献１は、所定の時間が経過すると、ディスプレイコントローラを休止制御する。
また、画像データを転送する高速シリアルデバイスも、ディスプレイコントローラとともに休止状態に制御される。
【先行技術文献】
【特許文献】
【０００３】
【特許文献１】特開２００９−８６３６３号公報
【発明の概要】
【発明が解決しようとする課題】
【０００４】
しかしながら、特許文献１のように、１画面分の更新画像データを転送し終えたタイミングを計測開始時間として経過時間を計測し、経過時間が所定の時間になるとディスプレイコントローラを休止制御する場合、以下のような問題がある。
【０００５】
第１に、所定の時間が経過する前に次の更新画像データを転送する場合、ディスプレイコントローラは、休止状態に制御されない。この場合、電子機器の消費電力を削減できない。
【０００６】
第２に、ディスプレイコントローラは、更新画像データの転送が可能な起動状態と、更新画像データの転送をしない休止状態との間で切り替えられる場合に、状態を移行するための期間が必要である。
そのため、特許文献１の方法によりディスプレイコントローラを起動状態と休止状態との間で切り替える制御を実行する場合、連続して転送される先の更新画像データと後の更新画像データとの間の転送間隔は、少なくともこのディスプレイコントローラの移行期間以上の間隔にしなければならない。
より具体的には、上述した経過時間に、移行期間を加算した時間よりも長い転送間隔により、連続する更新画像データを転送しなければならない。
このように特許文献１の方法により低消費電力化を図るためには、連続して転送する画像データの転送間隔をこの時間により制限する必要がある。この場合、電子機器において、一定以上の描画パフォーマンスを得ることができない。
【０００７】
このように従来の電子機器では、電子機器の低消費電力化と、描画パフォーマンスとの両立が求められている。
【課題を解決するための手段】
【０００８】
本発明の第１の観点の電子機器は、表示データを表示する第１表示部と、前記第１表示部の表示を更新するための表示データを出力する第１表示更新部と、前記第１表示更新部と前記第１表示部との間に接続され、前記第１表示更新部が出力した表示データを前記第１表示部へ転送する転送部と、前記転送部を、前記表示データの転送が可能な起動状態、および前記表示データの転送をしない休止状態に制御する休止制御部とを有し、前記休止制御部は、前記第１表示更新部が出力した表示データと前記第１表示更新部が次に出力する予定の表示データとの転送間隔が、前記休止制御部の休止制御により前記転送部が起動状態から休止状態へ移行するために要する休止移行期間と、前記休止制御部の起動制御により前記転送部が休止状態から起動状態へ移行するために要する起動移行期間との合計期間より長い場合に、前記第１表示更新部が次の表示データを出力するまで、前記転送部を休止状態に制御する。
【０００９】
好適には、前記休止制御部は、前記転送部が表示データを転送し終えた時点で、前記転送間隔と前記合計時間とを比較し、前記転送間隔が前記合計時間より長い場合には、前記転送部を休止制御し、前記転送部を休止制御した場合にはさらに、前記転送部を休止制御してからの経過時間が、前記転送間隔から前記起動移行期間を減算した時間になった時点で、前記転送部を起動制御してもよい。
【００１０】
好適には、前記電子機器は、前記第１表示部とは異なる表示データを表示する第２表示部と、第１表示更新部とは独立して、前記第２表示部の表示を更新するための表示データを出力する第２表示更新部とを有し、前記転送部は、前記第２表示更新部が出力した表示データを前記第２表示部へ転送して、前記第１表示部への表示データの転送と前記第２表示部への表示データの転送とに共通に用いられ、前記休止制御部は、前記転送間隔と前記合計時間との比較処理において、前記第１表示更新部における転送間隔および前記第２表示更新部における転送間隔のうちから選択される短い方の転送間隔を、前記合計時間と比較してもよい。
【００１１】
好適には、前記電子機器は、携帯電話機であり、前記第１表示部は、前記携帯電話機のメイン表示部であり、前記第１表示更新部は、複数の表示データを、前記合計時間より短い転送間隔で連続的に前記メイン表示部へ出力し、前記第２表示部は、前記携帯電話機のサブ表示部であり、前記第２表示更新部は、複数の表示データを、前記合計時間より長い転送間隔で離散的に前記サブ表示部へ出力してもよい。
【００１２】
好適には、前記電子機器は、前記転送部が最後の表示データを転送し終えた時点から所定の経過時間が経過した場合に、前記転送部を前記休止状態に制御する停止制御部を有してもよい。
【００１３】
好適には、前記停止制御部は、前記経過時間として、前記第１表示更新部が連続した表示データを出力する場合の最小の転送間隔よりも長い時間を計測し、前記休止制御部は、前記第１表示更新部および前記第２表示更新部のうちの、前記第２表示更新部のみが複数の表示データを出力する場合に、前記第２表示更新部による複数の表示データの転送間隔において、前記転送部を休止状態に制御可能な時間を計測し、当該時間を計測した場合に、前記第１表示更新部の次の表示データを転送するまで、前記転送部を休止状態に制御してもよい。
【００１４】
好適には、前記休止制御部は、前記第１表示更新部および前記第２表示更新部のうちの、前記第２表示更新部のみが複数の表示データを出力する場合に、前記第２表示更新部による複数の表示データの転送間隔において、前記転送部を休止状態に制御してもよい。
【００１５】
好適には、前記電子機器は、バッテリにより駆動され、前記休止制御部は、前記バッテリの残量が所定値以下になった場合には、前記第１表示更新部が複数の表示データを出力する場合にも、前記転送部を休止状態に制御してもよい。
【００１６】
好適には、前記第１表示更新部は、前記バッテリの残量が所定値以下になった場合には、本来出力すべき複数の表示データを間引いて出力してもよい。
【００１７】
好適には、前記第２表示更新部は、時刻を表示するための複数の表示データを、一定の転送間隔で前記サブ表示部へ出力してもよい。
【００１８】
好適には、前記電子機器は、表示データを表示する第２表示部と、前記第２表示部の表示を更新するための表示データを出力する第２表示更新部とを有する携帯電話機であり、前記第１表示部は、前記携帯電話機のメイン表示部であり、前記第１表示更新部は、複数の表示データを、前記合計時間より短い転送間隔で連続的に前記メイン表示部へ出力し、前記第２表示部は、前記携帯電話機のサブ表示部であり、前記第２表示更新部は、複数の表示データを、前記合計時間より長い転送間隔で離散的に前記サブ表示部へ出力し、前記休止制御部は、前記第１表示更新部および前記第２表示更新部のうちの、前記第２表示更新部のみが表示データを出力する場合に、前記転送部が表示データを転送し終えると、次の表示データを転送するまで、前記転送部を休止制御してもよい。
【発明の効果】
【００１９】
本発明では、電子機器の低消費電力化と、描画パフォーマンスとを高度に両立できる。
【図面の簡単な説明】
【００２０】
【図１】図１は、本発明の第１実施形態に係る携帯電話機の外観図である。
【図２】図２は、図１の携帯電話機の電気回路のハードウェア構成のブロック図である。
【図３】図３は、図１の携帯電話機に実現される機能のブロック図である。
【図４】図４は、図３のメイン表示部に動画を再生する場合のタイミングチャートである。
【図５】図５は、図３のサブ表示部に時計を表示する場合のタイミングチャートである。
【図６】図６は、図３のサブ表示部の表示更新例のタイミングチャートである。
【図７】図７は、図３の表示更新停止部の停止制御を含むフローチャートである。
【図８】図８は、図３のスタンバイ制御部の休止制御を含むフローチャートである。
【図９】図９は、本発明の第２実施形態に係るスタンバイ制御部の休止制御を含むフローチャートである。
【図１０】図１０は、本発明の第１実施形態に係る携帯電話機の変形例での機能ブロック図である。
【発明を実施するための形態】
【００２１】
＜第１実施形態＞
図１は、本発明の第１実施形態に係る携帯電話機１の外観図である。
図１（Ａ）は、携帯電話機１を開いた開状態である。
図１（Ｂ）は、携帯電話機１を閉じた閉状態である。
図１の携帯電話機１は、上部筐体１０１、下部筐体１０２、およびヒンジ部１０３を有する。
ヒンジ部１０３は、上部筐体１０１と下部筐体１０２とを開閉可能に連結する。
上部筐体１０１の開閉の内面には、メイン表示部２４が設けられる。
上部筐体１０１の外面には、サブ表示部２５が設けられる。
下部筐体１０２の内面には、操作部１６が設けられる。
そして、図１（Ａ）の開状態では、メイン表示部２４と操作部１６とが上下に並ぶ。
また、図１（Ｂ）の閉状態では、メイン表示部２４と操作部１６とが向かい合わせに重なる。
サブ表示部２５は、図１（Ｂ）の閉状態においても、携帯電話機１の表面に現れる。
【００２２】
図２は、図１の携帯電話機１の電気回路のハードウェア構成のブロック図である。
携帯電話機１は、ＣＰＵ（Central Processing Unit）１１を有する。ＣＰＵ１１は、集積回路（ＩＣ：Integrated Circuit）である。
ＣＰＵ１１には、無線通信部（ＲＦ）１２、ＵＳＢインタフェース部（ＵＳＢ: Universal Serial Bus）１３、ＵＩＭメモリ（ＵＩＭ: User Identity Module）１４、外部メモリ（ＥＸ＿ＭＥＭ）１５、および操作部（ＫＥＹ）１６が接続される。
また、ＣＰＵ１１には、内蔵メモリ（ＭＥＭ）１７、パラシリ変換部（ＰＳＩ）１８、およびタイマ（ＲＴＣ: Real Time Clock）１９が接続される。
【００２３】
内蔵メモリ１７およびパラシリ変換部１８は、複数のデータ信号線を有するパラレル信号線２０により、ＣＰＵ１１に接続される。
パラレル信号線２０には、たとえばＥＢＩ（Expansion Bus Interface）がある。
パラシリ変換部１８は、１本のデータ信号線を有するシリアル信号線２１により、シリパラ変換部（ＳＰＩ）２２と接続される。
シリパラ変換部２２は、複数のデータ信号線を有する別のパラレル信号線２３に接続される。
別のパラレル信号線２３には、メイン表示部（ＭＡＩＮ＿ＤＩＳＰ）２４と、サブ表示部（ＳＵＢ＿ＤＩＳＰ）２５とが接続される。
【００２４】
また、携帯電話機１は、バッテリ（ＢＡＴ）２６を有する。
バッテリ（ＢＡＴ）２６は、携帯電話機１の上部筐体１０１内の各回路素子および下部筐体１０２内の各回路素子に接続されて電力を供給する。
このバッテリ２６の蓄電電力により、携帯電話機１の上述した各回路素子は、動作する。
たとえばＣＰＵ１１、パラシリ変換部１８、シリパラ変換部２２などは、バッテリ２６の蓄電電力により動作する。
【００２５】
無線通信部１２は、携帯電話機１用の図示外の基地局と通信チャネルを確立し、基地局と通信データを送受する。
そして、無線通信部１２は、基地局から通信データを受信すると、受信した通信データを含む信号をＣＰＵ１１へ出力する。
また、無線通信部１２は、ＣＰＵ１１から通信データを含む信号が入力されると、当該通信データを基地局へ無線送信する。
無線通信部１２が送受する通信データには、電子メールデータ、通話データ、動画データ、静止画データなどがある。
【００２６】
ＵＳＢインタフェース部１３は、図示しないＵＳＢケーブルにより、他のＵＳＢ通信機器と接続される。
そして、ＵＳＢインタフェース部１３は、他のＵＳＢ通信機器から通信データを受信すると、受信した通信データを含む信号をＣＰＵ１１へ出力する。
また、ＵＳＢインタフェース部１３は、ＣＰＵ１１から通信データを含む信号が入力されると、当該通信データをＵＳＢ通信機器へ送信する。
ＵＳＢインタフェース部１３が送受する通信データには、動画データ、静止画データなどがある。
【００２７】
操作部１６は、複数の操作キーを有する。
操作キーには、たとえば電源キー、通話キー、数字キー、文字キーなどがある。
操作キーは、下部筐体１０２の内面に配列される。
そして、操作部１６は、ユーザにより操作キーが操作されると、操作された操作キーに対応するデータを含む信号をＣＰＵ１１へ出力する。
【００２８】
タイマ１９は、時間および時刻を計測する。
そして、タイマ１９は、計測した時刻情報を含む信号をＣＰＵ１１へ出力する。
また、タイマ１９は、ＣＰＵ１１により設定された経過時間を計測し、計測した時間情報を含む信号をＣＰＵ１１へ出力する。
【００２９】
ＵＩＭメモリ１４は、たとえば携帯電話機１に着脱可能なカード型のフラッシュメモリである。
そして、ＵＩＭメモリ１４は、携帯電話機１のユーザに固有の利用者情報などを記憶する。
【００３０】
外部メモリ１５は、たとえば携帯電話機１に着脱可能なカード型のフラッシュメモリである。
そして、外部メモリ１５は、携帯電話機１で利用する動画データ、静止画データなどを記憶する。
【００３１】
動画データには、たとえばＭＰＥＧ形式の動画データがある。ＭＰＥＧ形式の動画データは、所定の周期（たとえば３０ｆｐｓ）毎にコマ送り再生される複数の画像のピクチャデータを有する。
また、動画データは、フィールド周波数の２倍のフレーム周波数毎に伝送される複数のインターレースデータを有するものであってもよい。
なお、携帯電話機１において動画データなどを再生する場合、ＣＰＵ１１は、この所定の周期毎に、メイン表示部２４へ動画の１画面分の画像の表示データを転送する。
以下、各所定の周期内で、動画の１画面分の画像の表示データを転送する期間を、データ転送期間とよび、次の画像の表示データを転送するまでの残時間を、表示データの転送間隔ＴＡとよぶ。
【００３２】
パラシリ変換部１８には、ＣＰＵ１１がパラレル信号線２０へ出力したパラレルデータを含む信号が入力される。
そして、パラシリ変換部１８は、このパラレルデータをシリアルデータへ変換する。
また、パラシリ変換部１８は、変換したシリアルデータを含む信号、シリアル信号線２１へ出力する。
【００３３】
シリパラ変換部２２には、シリアル信号線２１からシリアルデータを含む信号が入力される。
そして、シリパラ変換部２２は、このシリアルデータをパラレルデータへ変換する。
また、シリパラ変換部２２は、変換したパラレルデータを含む信号、別のパラレル信号線２３から、メイン表示部２４またはサブ表示部２５へ出力する。
【００３４】
このように携帯電話機１では、メイン表示部２４およびサブ表示部２５とＣＰＵ１１との間にパラシリ変換部１８およびシリパラ変換部２２を接続する。
そして、パラシリ変換部１８およびシリパラ変換部２２が、ＣＰＵ１１から出力された信号をメイン表示部２４およびサブ表示部２５へ転送する。
また、パラシリ変換部１８とシリパラ変換部２２との間のシリアル信号線２１は、携帯電話機１の下部筐体１０２から上部筐体１０１へ渡されている。
これにより、携帯電話機１の上部筐体１０１と下部筐体１０２とを接続する信号線の本数を減らすことができる。
また、データがパラレル信号により伝送されることによって生じるノイズを減らすことができる。
特に、パラシリ変換部１８およびシリパラ変換部２２が、シリアルデータを含む信号として、ＬＶＤＳ規格（Low Voltage Differential Signaling）に準拠したたとえば小振幅電圧の差動信号を送受する場合、高いノイズの削減効果を期待できる。
ＬＶＤＳ規格には、たとえばＡＮＳＩ／ＴＩＡ／ＥＩＡ−６４４（ＬＶＤＳ）がある。
小振幅電圧の差動信号には、この他にも、ＥＣＬ（Emitter Coupled Logic）による信号、ＣＭＬ（Current Mode Logic）による信号などがある。
【００３５】
また、このパラシリ変換部１８およびシリパラ変換部２２は、動作モード端子Ｐ１，Ｐ２を有する。
パラシリ変換部１８の動作モード端子Ｐ１，Ｐ２と、シリパラ変換部２２の動作モード端子Ｐ１，Ｐ２とは、信号線２７により、ＣＰＵ１１の１個の動作制御端子Ｐ３に共通に接続される。
パラシリ変換部１８およびシリパラ変換部２２の動作モードには、データ転送が可能な起動状態と、データ転送をしない休止状態とがある。
パラシリ変換部１８およびシリパラ変換部２２は、動作モード端子Ｐ１，Ｐ２の入力レベルに応じて、動作モードを切り替える。
【００３６】
動作モードを切り替えることができる回路素子は、後述する図６に示すように、動作モード端子Ｐ１，Ｐ２の入力レベルが切り替えられてから、実際に切り替えられた動作モードとなるまでにタイムラグ（移行期間）があるのが一般的である。
以下、この回路素子を起動状態から停止状態へ切り替えるタイムラグを、休止移行期間ＴＣとよぶ。
また、回路素子を停止状態から起動状態へ切り替えるタイムラグを、起動移行期間ＴＢとよぶ。
【００３７】
メイン表示部２４は、ＬＣＤ（Liquid Crystal Display Device）または有機ＥＬ（Electro-Luminescence）デバイスを有する。
メイン表示部２４は、上部筐体１０１の内面に設けられる。
そして、メイン表示部２４は、ＣＰＵ１１が出力した画像の表示データを含む信号が入力されると、入力した信号に含まれる表示データに基づく画像を表示する。これにより、メイン表示部２４には、たとえば動画、静止画、時刻などが表示される。
【００３８】
サブ表示部２５は、メイン表示部２４より小さいサイズのＬＣＤまたは有機ＥＬデバイスを有する。
サブ表示部２５は、上部筐体１０１の外面に設けられる。
そして、サブ表示部２５は、ＣＰＵ１１が出力した画像の表示データを含む信号が入力されると、入力した信号に含まれる表示データに基づく画像を表示する。これによりサブ表示部２５には、たとえば時刻などが表示される。
サブ表示部２５は、メイン表示部２４とは独立して表示が制御され、メイン表示部２４とは異なる画像を表示する。
【００３９】
内蔵メモリ１７は、たとえば携帯電話機１に内蔵されるフラッシュメモリである。
そして、内蔵メモリ１７は、ＣＰＵ１１が読み込んで実行可能なプログラム、およびＣＰＵ１１により利用されるデータを記憶する。
内蔵メモリ１７に記憶されるデータとしては、たとえばシステム設定データ、動画データ、静止画データなどがある。
システム設定データには、たとえば休止移行期間データ、起動移行期間データ、転送間隔データがある。
休止移行期間データは、パラシリ変換部１８およびシリパラ変換部２２の休止移行期間ＴＣの値を有するデータである。
起動移行期間データは、パラシリ変換部１８およびシリパラ変換部２２の起動移行期間ＴＢの値を有するデータである。
転送間隔データは、複数の画像の表示データを連続して転送する際のデータの転送間隔ＴＡの値を有するデータである。
この転送間隔ＴＡにおいては、ＣＰＵ１１からメイン表示部２４へ表示データが転送されない。
【００４０】
ＣＰＵ１１は、携帯電話機１のコンピュータであり、電源が投入されると、内蔵メモリ１７からプログラムを読み込んで実行する。ＣＰＵ１１は、携帯電話機１の制御部として機能する。
なお、内蔵メモリ１７に記憶されるプログラムは、携帯電話機１の出荷前に記憶されたものであっても、出荷後に記憶されたものであってもよい。
また、携帯電話機１の出荷後に内蔵メモリ１７に記憶されるプログラムは、たとえばＣＤ−ＲＯＭ（Compact Disc-Read Only Memory）などのコンピュータ読み取り可能な記録媒体に記憶されたものでよい。
また、プログラムは、インターネットなどのコンピュータ通信可能な伝送媒体を介してサーバ装置からダウンロードしたプログラムでもよい。
【００４１】
図３は、ＣＰＵ１１がプログラムを実行した場合に携帯電話機１に実現される機能を示すブロック図である。図３には、表示制御に関する機能ブロックが図示されている。
ＣＰＵ１１は、表示制御に関する機能ブロックとして、表示更新部（ＤＩＳＰ＿ＣＴＲＬ）３１と、表示更新停止部（ＳＴＯＰ＿ＣＴＲＬ）３４と、スタンバイ制御部（ＳＢＹ＿ＣＴＲＬ）３５と、論理和演算部３６とを有する。
また、表示更新部３１は、メイン表示更新部（ＭＡＩＮ＿ＣＴＲＬ）３２と、サブ表示更新部（ＳＵＢ＿ＣＴＲＬ）３３とを有する。
また、図３には、ＣＰＵ１１のＩ／Ｏポート２８も図示されている。
【００４２】
Ｉ／Ｏポート２８は、パラレル信号線２０と、動作制御端子Ｐ３とに接続される。
そして、Ｉ／Ｏポート２８は、パラレルデータに応じた信号をパラレル信号線２０に出力する。
また、パラレル信号線２０から入力される信号レベルに応じた値を保持する。
また、Ｉ／Ｏポート２８は、設定された値に応じたレベルの動作モード信号を、動作制御端子Ｐ３に出力する。
【００４３】
メイン表示更新部３２は、操作部１６などから表示指示が入力されると、指示されたデータを読み込んで、表示データをメイン表示部２４へ出力する。
具体的には例えば、外部メモリ１５に記憶された動画データの表示指示が入力されると、メイン表示更新部３２は、外部メモリ１５から動画データを読み込み、動画の１画面分の表示データを生成し、Ｉ／Ｏポート２８へ出力する。
表示データは、Ｉ／Ｏポート２８、パラレル信号線２０、パラシリ変換部１８、シリアル信号線２１、シリパラ変換部２２、別のパラレル信号線２３を通じて、メイン表示部２４へ送信される。
メイン表示部２４は、受信した表示データを表示する。
【００４４】
その後、メイン表示更新部３２は、動画データにおいて指定された所定の周期毎に、次の画面のデータを外部メモリ１５から読み込み、１画面分の表示データを生成し、Ｉ／Ｏポート２８へ出力する。
表示データは、Ｉ／Ｏポート２８、パラレル信号線２０、パラシリ変換部１８、シリアル信号線２１、シリパラ変換部２２、別のパラレル信号線２３を通じて、メイン表示部２４へ送信される。
メイン表示部２４は、受信した表示データを用いて、表示を更新する。
また、メイン表示更新部３２は、動画データの最後のデータまで読み込むと、停止する。メイン表示更新部３２は、メイン表示部２４の表示を更新する必要がない場合、停止する。
【００４５】
図４は、メイン表示部２４で動画を再生する場合の表示データの転送状態を示すタイミングチャートである。
図４（Ａ）は、メイン表示更新部３２のデータ処理状態であり、図４（Ｂ）は、パラシリ変換部１８およびシリパラ変換部２２のデータ転送状態であり、図４（Ｃ）は、パラシリ変換部１８およびシリパラ変換部２２の動作モードである。
なお、図４（Ｃ）において、パラシリ変換部１８およびシリパラ変換部２２の動作モードは、起動状態がＯＮで示され、停止状態がＯＦＦで示されている。
【００４６】
そして、表示更新要求があると、メイン表示更新部３２は、最初の１画面分の表示データ（１）を生成し、タイミングＴ１からＴ２において出力する。
また、このＴ１からＴ２の期間において、パラシリ変換部１８およびシリパラ変換部２２は、メイン表示更新部３２から出力された最初の表示データ（１）をメイン表示部２４へ転送する。
これにより、メイン表示部２４には、動画の最初の１画面の画像が表示される。
【００４７】
また、最初の１画面分の表示データ（１）を生成してから１周期分の時間が経過すると、メイン表示更新部３２は、２番目の１画面分の表示データ（２）を生成し、タイミングＴ３からＴ４において出力する。
また、このＴ３からＴ４の期間において、パラシリ変換部１８およびシリパラ変換部２２は、メイン表示更新部３２から出力された２番目の表示データ（２）をメイン表示部２４へ転送する。
これにより、メイン表示部２４には、動画の２番目の画面が表示される。
このように、パラシリ変換部１８およびシリパラ変換部２２は、メイン表示更新部３２が複数の表示データを所定の周期で連続的に出力する場合であっても、連続する表示データの転送間隔ＴＡであるタイミングＴ２からＴ３においては、表示データを転送しない。
【００４８】
サブ表示更新部３３は、タイマ１９から時刻情報を取得し、その時刻を表示するための表示データを生成してサブ表示部２５へ出力する。
この他にも、サブ表示更新部３３は、操作部１６などから表示指示が入力されると、指示されたデータを読み込んで表示データを生成し、サブ表示部２５へ出力する。
具体的には例えば、サブ表示更新部３３は、たとえば１秒または１分などの予めプログラムされた周期で、タイマ１９から時刻情報を取得し、その時刻を表示するための表示データを生成し、表示データをＩ／Ｏポート２８へ出力する。
表示データは、Ｉ／Ｏポート２８、パラレル信号線２０、パラシリ変換部１８、シリアル信号線２１、シリパラ変換部２２、別のパラレル信号線２３を通じて、サブ表示部２５へ送信される。サブ表示部２５は、受信した表示データを用いて表示を更新する。
このようにサブ表示更新部３３は、メイン表示更新部３２とは独立して動作する。
このため、たとえば、メイン表示部２４に、秒単位の時計を表示し、サブ表示更新部３３に、分単位の時計を表示することができる。
また、サブ表示更新部３３は、サブ表示部２５の表示を更新する必要がない場合、停止する。
【００４９】
図５は、サブ表示部２５に時計を表示する場合の表示データの転送状態を示すタイミングチャートである。
図５（Ａ）は、サブ表示更新部３３のデータ処理状態であり、図５（Ｂ）は、パラシリ変換部１８およびシリパラ変換部２２のデータ転送状態であり、図５（Ｃ）は、パラシリ変換部１８およびシリパラ変換部２２の動作モードである。
そして、サブ表示更新部３３は、１番目の１画面分の時刻の画像の表示データ（１）を生成し、タイミングＴ１１からＴ１２において出力する。
また、このＴ１１からＴ１２の期間において、パラシリ変換部１８およびシリパラ変換部２２は、サブ表示更新部３３から出力された１番目の表示データ（１）をサブ表示部２５へ転送する。
これにより、サブ表示部２５には、時刻を表示する１番目の画像が表示される。
また、１番目の１画面分の時計の表示データ（１）を生成してから所定の１周期分の時間が経過すると、サブ表示更新部３３は、２番目の１画面分の時刻の画像の表示データ（２）を生成し、タイミングＴ１３からＴ１４において出力する。
また、このＴ１３からＴ１４の期間において、パラシリ変換部１８およびシリパラ変換部２２は、サブ表示更新部３３から出力された２番目の表示データ（２）をサブ表示部２５へ転送する。
これにより、サブ表示部２５には、２番目の時刻の画像が表示される。
このように、パラシリ変換部１８およびシリパラ変換部２２は、サブ表示更新部３３が複数の表示データを所定の周期で離散的に出力する場合であっても、連続する表示データの転送間隔ＴＡであるタイミングＴ１２からＴ１３においては、表示データを転送しない。
【００５０】
図６は、サブ表示部２５の表示更新動作の一例のタイミングチャートである。図６は、サブ表示部２５に、たとえば時分秒からなる時刻を表示する場合の動作例である。
図６（Ａ）は、サブ表示更新部３３のデータ処理状態であり、図６（Ｂ）は、パラシリ変換部１８およびシリパラ変換部２２のデータ転送状態である。
そして、図６に示すように、サブ表示更新部３３は、タイミングＴ１１からＴ１２に示すように、約１．８７ミリ秒の期間で時刻の画像の表示データ（１）を出力する。
また、サブ表示更新部３３は、タイミングＴ１２からＴ１３に示すように約３０ミリ秒の転送間隔ＴＡの後のタイミングＴ１３からＴ１４において、次の時刻の表示データ（２）を出力する。
また、図６（Ｂ）の例では、パラシリ変換部１８およびシリパラ変換部２２の休止移行期間ＴＣが１．４１ミリ秒であり、起動移行期間が３．４ミリ秒である。
【００５１】
表示更新停止部３４は、表示更新部３１の動作を監視する。
そして、表示更新部３１が最後の表示データを出力してから、所定の経過期間Ａにわたって表示データを出力しない場合、表示更新停止部３４は、表示更新部３１を停止する。
具体的には、表示更新停止部３４は、たとえば表示更新部３１が最後の表示データを出力してから、１．２秒にわたって表示データを出力しない場合、表示更新停止部３４は、表示更新部３１を停止する。
これにより、メイン表示更新部３２およびサブ表示更新部３３において未処理の表示要求が無く、表示データを生成して出力する必要が無い場合に、メイン表示更新部３２およびサブ表示更新部３３を停止する。
このような状況は、携帯電話機１を図１（Ｂ）のように閉じた待ち受け状態において、サブ表示部２５の時刻表示のみを更新する場合に生じえる。
また、所定の経過期間Ａを１．２秒に設定することで、メイン表示部２４またはサブ表示部２５に時刻の秒を表示する場合に、メイン表示更新部３２およびサブ表示更新部３３を連続的に動作させ続けることができる。
これにより、秒表示を正確なタイミングで表示することができる。
【００５２】
また、表示更新停止部３４が、メイン表示更新部３２およびサブ表示更新部３３の動作を制御するために生成するデータは、論理和演算部３６にも入力される。
論理和演算部３６は、この表示更新停止部３４が生成するデータと、スタンバイ制御部３５が生成するデータとの論理和を演算する。
また、論理和演算部３６は、演算結果のデータをＩ／Ｏポート２８に書き込む。
これにより、Ｉ／Ｏポート２８は、パラシリ変換部１８およびシリパラ変換部２２へ、これらの動作モードを制御する信号を出力する。
たとえば、論理和演算部３６は、表示更新停止部３４が停止制御のデータ「１」を出力した場合、またはスタンバイ制御部３５が停止制御のデータ「１」を出力した場合、論理和「１」を演算する。
また、論理和演算部３６は、演算結果「１」をＩ／Ｏポート２８に書き込む。
これにより、Ｉ／Ｏポート２８は、パラシリ変換部１８およびシリパラ変換部２２に対して、休止状態に制御する信号を出力する。
そして、パラシリ変換部１８およびシリパラ変換部２２は、動作状態から休止状態へ制御される。
【００５３】
たとえば図４（Ｃ）に示すようにメイン表示更新部３２が動作している場合、ＣＰＵ１１は、タイミングＴ４から所定の経過時間の後のタイミングであるＴ５において、休止状態に制御する信号を出力する。
パラシリ変換部１８およびシリパラ変換部２２は、タイミングＴ５からＴ７の期間において起動状態から停止状態となる。
また、パラシリ変換部１８およびシリパラ変換部２２は、タイミングＴ６からＴ１の期間において、停止状態から起動状態となる。
このタイミングＴ６からＴ７の期間の前後において、パラシリ変換部１８およびシリパラ変換部２２は、休止状態となる。
このようにメイン表示更新部３２が動画の複数の表示データを出力するＴ１からＴ４の表示データの連続出力期間は、タイミングＴ６からＴ７の起動期間に含まれる。
よって、パラシリ変換部１８およびシリパラ変換部２２は、メイン表示更新部３２がたとえば１秒などの所定の短い周期毎に連続的に複数の表示データを出力する場合であっても、これら複数の表示データを遅滞なくメイン表示部２４に転送する。
【００５４】
スタンバイ制御部３５は、表示更新部３１の動作を監視する。
そして、スタンバイ制御部３５は、表示更新部３１による表示データの転送間隔ＴＡが、休止移行期間ＴＣと起動移行期間ＴＢとの合計期間より長い場合に、パラシリ変換部１８およびシリパラ変換部２２を休止状態に制御する。
また、スタンバイ制御部３５は、表示更新部３１が次の表示データを出力するまで、パラシリ変換部１８およびシリパラ変換部２２を休止状態に制御する。
具体的には、スタンバイ制御部３５は、表示更新部３１が表示データを出力しない場合、パラシリ変換部１８およびシリパラ変換部２２が表示データを転送し終えた時点で、パラシリ変換部１８およびシリパラ変換部２２を休止状態に制御するためのデータを、論理和演算部３６へ出力する。
また、スタンバイ制御部３５は、パラシリ変換部１８およびシリパラ変換部２２を休止状態に制御した場合にはさらに、パラシリ変換部１８およびシリパラ変換部２２を起動制御する。
具体的には、スタンバイ制御部３５は、パラシリ変換部１８およびシリパラ変換部２２を休止制御してからの経過時間が、所定の時間に期間になった時点で、パラシリ変換部１８およびシリパラ変換部２２を起動制御する。
なお、パラシリ変換部１８およびシリパラ変換部２２を休止制御してから、起動制御するまでの期間は、たとえば表示データの転送間隔ＴＡから起動移行期間ＴＢを減算した時間とすればよい。
【００５５】
そして、たとえばサブ表示更新部３３のみが動作している場合、図５（Ｃ）に示すように、パラシリ変換部１８およびシリパラ変換部２２は、タイミングＴ１５からＴ１６の期間と、タイミングＴ１７からＴ１８の期間とにおいて起動状態となる。
また、それ例外の期間において休止状態となる。
そして、サブ表示更新部３３が時刻の表示データを生成するタイミングＴ１１からＴ１２までの期間は、タイミングＴ１５からＴ１６の起動期間に含まれている。
また、タイミングＴ１３からＴ１４までの期間は、タイミングＴ１７からＴ１８の起動期間に含まれている。
よって、パラシリ変換部１８およびシリパラ変換部２２は、サブ表示更新部３３が所定の比較的長い周期毎に離散的に出力する複数の時刻の表示データを、遅滞なくサブ表示部２５に転送する。
また、図５のタイミングＴ１１からＴ１４の時刻の表示データの連続出力期間では、パラシリ変換部１８およびシリパラ変換部２２は、間欠的に停止状態に制御される。
たとえば図６の例では、パラシリ変換部１８およびシリパラ変換部２２の起動移行期間ＴＢが３．４ミリ秒であり、停止移行期間ＴＣが１．４１ミリ秒である場合であって、表示データの転送間隔ＴＡが３０ミリ秒である。
この場合、パラシリ変換部１８およびシリパラ変換部２２は、転送間隔ＴＡ毎に約２５ミリ秒の期間で停止する。
【００５６】
なお、図４に示すように、タイミングＴ１からＴ４の動画の表示データを連続的に出力する場合でも、タイミングＴ２からＴ３において転送間隔ＴＡが生じる。
そして、図４の例では、このタイミングＴ２からＴ３において転送間隔ＴＡが５ミリ秒よりも短い。
そのため、パラシリ変換部１８およびシリパラ変換部２２は、転送間隔ＴＡにおいても連続的に起動状態に維持される。
【００５７】
次に、携帯電話機１の全体的な動作について詳しく説明する。
図７は、表示更新停止部３４が停止制御を実行する一例のフローチャートである。
図７のフローチャートは、メイン表示部２４に動画などを再生している場合の例である。
【００５８】
メイン表示部２４で動画などを再生する場合、各１画面分の表示データのデータ量が多く且つ複数の表示データの転送間隔ＴＡが短い。
そのため、転送間隔ＴＡは、パラシリ変換部１８およびシリパラ変換部２２の起動移行期間ＴＢと停止移行期間ＴＣとの合計期間より短くなる。
そして、たとえば操作部１６から動画再生指示が入力されると、表示更新停止部３４は、ステップＳＴ１１において表示更新要と判断し、メイン表示更新部３２およびサブ表示更新部３３を起動する（ステップＳＴ１２）。
また、ＣＰＵ１１は、Ｉ／Ｏポート２８からパラシリ変換部１８およびシリパラ変換部２２へ、これらを起動状態に制御する信号を出力する。
これにより、パラシリ変換部１８およびシリパラ変換部２２は、休止状態から起動状態になる。
【００５９】
また、起動されたメイン表示更新部３２は、操作部１６により指示された動画の再生を開始する。
メイン表示更新部３２は、操作部１６により指示された動画データをたとえば外部メモリ１５から読み込み、最初の１画面分の表示データを生成し、メイン表示部２４へ出力する（ステップＳＴ１３）。
具体的には、メイン表示更新部３２は、生成した最初の１画面分の表示データをＩ／Ｏポート２８へ出力する。
また、Ｉ／Ｏポート２８へ出力された最初の１画面分の表示データは、ＣＰＵ１１から出力され、パラシリ変換部１８においてシリアル信号へ変換され、シリパラ変換部２２においてパラレル信号へ再変換され、メイン表示部２４へ送信される。
メイン表示部２４は、入力された最初の１画面分の表示データの画像を表示する。
【００６０】
ステップＳＴ１３の１画面分の表示データの転送が終了すると、メイン表示更新部３２を監視する表示更新停止部３４は、ステップＳＴ１４においてデータ転送が終了したと判断する。
そして、表示更新停止部３４は、タイマ１９に所定の経過時間Ａを設定する（ステップＳＴ１６）。
なお、表示更新停止部３４は、ステップＳＴ１４においてデータ転送が終了したと判断しない場合であっても、表示データの転送中に操作部１６のキーが操作された場合には、ステップＳＴ１５において操作を検出し、ステップＳＴ１４の判断を繰り返す。
これは、操作部１６のキーが操作された場合には、メイン表示更新部３２が、ステップＳＴ１３において、次の表示データを生成して出力する可能性が高いからである。
また、ステップＳＴ１５においてＮＯと判断した場合、表示更新停止部３４は、タイマ１９に所定の経過時間Ａを設定する（ステップＳＴ１６）。
【００６１】
ステップＳＴ１６においてタイマ１９に所定の経過時間Ａを設定した後、表示更新部３１を監視する表示更新停止部３４は、次の表示データの転送がなされるか否かを判断する（ステップＳＴ１７）。
また、表示更新停止部３４は、経過時間Ａが経過したか否かを判断する（ステップＳＴ１８）。
動画の再生を開始した時点では、その後に、複数の表示データが所定の転送間隔で連続的に転送される。
そのため、表示更新停止部３４は、ステップＳＴ１８においてタイマ１９に設定した経過時間Ａが経過すると判断する前に、ステップＳＴ１７において次の表示データの転送要と判断する。
また、動画を再生するメイン表示更新部３２は、表示更新停止部３４は、動画の更新周期が経過すると、２番目の表示データを生成し、メイン表示部２４へ出力する（ステップＳＴ１３）。
具体的には、表示更新停止部３４は、２番目の表示データをＩ／Ｏポート２８へ出力する。２番目の表示データは、パラシリ変換部１８およびシリパラ変換部２２を通じてメイン表示部２４へ送信される。
メイン表示部２４の表示は、動画の２番目の表示データの表示に更新される。
【００６２】
このように、メイン表示更新部３２を監視する表示更新停止部３４は、メイン表示更新部３２がステップＳＴ１３において１画面分の表示データの転送を終了する度に、タイマ１９に所定の経過時間Ａを設定する（ステップＳＴ１６）。
また、表示更新停止部３４は、その時間Ａの経過を待つ（ステップＳＴ１８）。
そして、表示更新停止部３４は、その待ち時間中にステップＳＴ１７において次の表示データの転送がなされると判断すると、メイン表示更新部３２の監視を継続する。
これに対して、メイン表示更新部３２による動画の再生が終了すると、表示更新停止部３４は、ステップＳＴ１７において次の表示データの転送がなされると判断することなく、ステップＳＴ１８において経過時間Ａが経過したと判断する。
表示更新停止部３４は、メイン表示更新部３２およびサブ表示更新部３３を停止する（ステップＳＴ１９）。
また、この表示更新停止部３４による停止制御に基づく信号が、ＣＰＵ１１のＩ／Ｏポート２８からパラシリ変換部１８およびシリパラ変換部２２へ出力される。
この信号が入力されると、パラシリ変換部１８およびシリパラ変換部２２は、起動状態から停止状態へ移行し、休止状態になる。
【００６３】
図８は、スタンバイ制御部３５が休止制御を実行する一例のフローチャートである。
図８のフローチャートは、サブ表示部２５の時刻の表示のみを更新する場合の例である。
【００６４】
サブ表示更新部３３で時刻を表示する場合、各時刻の表示データのデータ量が少なく且つ複数の表示データの転送間隔ＴＡが長い。
そのため、転送間隔ＴＡは、パラシリ変換部１８およびシリパラ変換部２２の起動移行期間ＴＢと停止移行期間ＴＣとの合計期間より長くなる。
そして、たとえば携帯電話機１が起動されると、スタンバイ制御部３５は、ステップＳＴ２１において表示更新要と判断する。
これにより、ＣＰＵ１１のＩ／Ｏポート２８からパラシリ変換部１８およびシリパラ変換部２２へ起動状態に制御する信号が出力される。
そして、パラシリ変換部１８およびシリパラ変換部２２は、休止状態から起動状態になる。
【００６５】
また、時刻を表示させるサブ表示更新部３３は、周期的にタイマ１９から時刻情報を取得し、取得した時刻を表示する表示データを生成する。
サブ表示更新部３３は、１番目の時刻の表示データを生成し、サブ表示部２５へ出力する（ステップＳＴ２２）。
具体的には、サブ表示更新部３３は、１番目の時刻の表示データをＩ／Ｏポート２８へ出力する。Ｉ／Ｏポート２８へ出力された１番目の時刻の表示データは、ＣＰＵ１１から出力され、パラシリ変換部１８においてシリアル信号へ変換され、シリパラ変換部２２においてパラレル信号へ再変換され、サブ表示部２５へ転送される。
サブ表示部２５は、入力された１番目の時刻の表示データの画像を表示する。
これにより、サブ表示部２５には、現在時刻が表示される。
【００６６】
ステップＳＴ２２の１番目の時刻の表示データの転送が終了すると、サブ表示更新部３３を監視するスタンバイ制御部３５は、ステップＳＴ２３においてデータ転送が終了したと判断する。
そして、スタンバイ制御部３５は、サブ表示更新部３３による表示データの転送間隔ＴＡと、休止移行期間ＴＣおよび起動移行期間ＴＢの合計期間とを比較する（ステップＳＴ２４）。
サブ表示部２５に時刻を表示する場合、図５に示すように、転送間隔ＴＡは、休止移行期間ＴＣおよび起動移行期間ＴＢの合計期間より長い。
よって、スタンバイ制御部３５は、パラシリ変換部１８およびシリパラ変換部２２を休止状態に制御する（ステップＳＴ２５）。
【００６７】
また、スタンバイ制御部３５は、転送間隔ＴＡから起動移行期間ＴＢを減算した時間をタイマ１９に設定し（ステップＳＴ２６）、その設定時間の経過を待つ（ステップＳＴ２７）。
そして、設定時間が経過すると、スタンバイ制御部３５は、パラシリ変換部１８およびシリパラ変換部２２を起動状態に制御する（ステップＳＴ２８）。
【００６８】
その後、サブ表示更新部３３は、２番目の時刻の表示データを生成し、サブ表示部２５へ出力する（ステップＳＴ２２）。
具体的には、サブ表示更新部３３は、２番目の時刻の表示データをＩ／Ｏポート２８へ出力する。
２番目の時刻の表示データは、パラシリ変換部１８およびシリパラ変換部２２を通じてサブ表示部２５へ転送される。
サブ表示部２５の表示は、２番目の時刻の表示データの画像に更新される。
これにより、サブ表示部２５には、タイマ１９で計測される現在時刻が表示され続ける。
【００６９】
なお、たとえばサブ表示更新部３３が時刻の表示データを出力するとともに、メイン表示更新部３２が動画を表示する場合、スタンバイ制御部３５は、この短い方のメイン表示更新部３２の転送間隔ＴＡを用いて、ステップＳＴ２４の比較処理を実行する。
そして、メイン表示更新部３２が動画を表示する場合、図４に示すように、メイン表示更新部３２での複数の表示データの転送間隔ＴＡは、パラシリ変換部１８およびシリパラ変換部２２の起動移行期間ＴＢと停止移行期間ＴＣとの合計期間よりも短い。
そのため、スタンバイ制御部３５は、ステップＳＴ２４の比較処理において、ＮＯと判断する。
その結果、メイン表示更新部３２が動画を表示する場合には、スタンバイ制御部３５によるパラシリ変換部１８およびシリパラ変換部２２の休止制御は実行されない。
メイン表示更新部３２が動画を表示する場合には、パラシリ変換部１８およびシリパラ変換部２２は、図４（Ｃ）に示すように、Ｔ１からＴ４の表示データの連続出力期間を含むタイミングＴ６からＴ７の期間において起動状態に維持される。
【００７０】
以上のように、第１の実施形態では、たとえばメイン表示部２４に動画を表示する場合などのようにパフォーマンスを優先する場合には、表示データの転送間隔においてパラシリ変換部１８およびシリパラ変換部２２を休止状態に制御しない。
これに対して、たとえば待ち受け状態において、１分毎の時刻をサブ表示部２５に表示する場合などのように低消費電力化を優先する場合には、表示データの転送間隔においてパラシリ変換部１８およびシリパラ変換部２２を休止状態に制御する。
【００７１】
＜第２実施形態＞
本発明の第２実施形態に係る携帯電話機１の構成および動作は、第１実施形態に係る携帯電話機１と同様である。
ただし、スタンバイ制御部３５の動作が、第１実施形態と異なる。
以下の説明では、便宜上、第１実施形態と同一の符号を使用する。
【００７２】
図９は、第２実施形態に係るスタンバイ制御部３５が休止制御を実行する一例のフローチャートである。
たとえば携帯電話機１が起動されると、スタンバイ制御部３５は、ステップＳＴ３１においてサブ表示部２５の更新要否を判断する。
そして、サブ表示部２５の更新が不要である場合、スタンバイ制御部３５は、ステップＳＴ３１の判断を繰り返す。
【００７３】
そして、サブ表示部２５の更新が必要である場合、スタンバイ制御部３５は、さらにメイン表示部２４の更新要否を判断する（ステップＳＴ３２）。
そして、メイン表示部２４の更新が不要である場合、スタンバイ制御部３５は、ステップＳＴ３１の判断に戻る。
【００７４】
これに対して、サブ表示部２５の更新が必要で、かつメイン表示部２４の更新が不要である場合、サブ表示更新部３３は、表示データをサブ表示部２５へ出力する（ステップＳＴ２２）。
【００７５】
ステップＳＴ２２の表示データの転送が終了すると、サブ表示更新部３３を監視するスタンバイ制御部３５は、ステップＳＴ２３においてデータ転送が終了したと判断する。
そして、スタンバイ制御部３５は、パラシリ変換部１８およびシリパラ変換部２２を休止状態に制御する（ステップＳＴ２５）。
また、スタンバイ制御部３５は、転送間隔ＴＡから起動移行期間ＴＢを減算した時間をタイマ１９に設定し（ステップＳＴ２６）、その設定時間の経過を待つ（ステップＳＴ２７）。
【００７６】
そして、設定時間が経過すると、スタンバイ制御部３５は、パラシリ変換部１８およびシリパラ変換部２２を起動状態に制御する（ステップＳＴ２８）。
その後、スタンバイ制御部３５は、ステップＳＴ３１およびＳＴ３２の更新要否判断を繰り返す。また、サブ表示更新部３３は、所定の更新周期毎に表示データを生成してサブ表示部２５へ出力する。
【００７７】
以上の制御により、第２実施形態に係る携帯電話機１は、図４および図５に示すように、パラシリ変換部１８およびシリパラ変換部２２を起動状態と休止状態との間で切り替えることができる。
【００７８】
以上の各実施形態は、本発明の好適な実施形態の例であるが、本発明は、これに限定されるものではなく、発明の要旨を逸脱しない範囲において種々の変形または変更が可能である。
【００７９】
例えば上記実施形態では、スタンバイ制御部３５は、メイン表示更新部３２が動画の表示データを出力する場合には、パラシリ変換部１８およびシリパラ変換部２２を休止状態に制御していない。
この他にも例えば、スタンバイ制御部３５は、メイン表示更新部３２が動画の表示データを出力する場合にも、パラシリ変換部１８およびシリパラ変換部２２を休止状態に制御してもよい。
具体的にはたとえば、スタンバイ制御部３５は、バッテリ２６の残量が所定値以下になった場合、メイン表示更新部３２による表示データの転送間隔において、パラシリ変換部１８およびシリパラ変換部２２を休止状態に制御してもよい。
また、このスタンバイ制御部３５による休止制御に加えて、メイン表示更新部３２は、動画の表示データを間引いて出力してもよい。
メイン表示更新部３２は、たとえば所定の複数のフレームまたはフィールド毎に、１画面分の表示データを間引いて出力してもよい。
これにより、表示データの転送間隔が広がり、パラシリ変換部１８およびシリパラ変換部２２を休止制御するための期間を確保できる。
【００８０】
上記実施形態は、本発明を、メイン表示部２４およびサブ表示部２５を有する携帯電話機１に適用した例である。この他にもたとえばメイン表示部２４を有する携帯電話機１に、本発明を適用してもよい。
図１０は、本発明の第１実施形態に係る携帯電話機の変形例での機能ブロック図である。図１０の携帯電話機は、メイン表示部２４のみを有する。この場合、ＣＰＵ１１の表示更新部３１には、メイン表示更新部３２が実現される。また、メイン表示更新部３２は、メイン表示部２４へ表示データを出力する。また、この表示データは、ＣＰＵ１１のＩ／Ｏポート２８、パラシリ変換部１８、シリパラ変換部２２を通じてメイン表示部２４へ送信される。
図１０の場合においても、たとえばメイン表示部２４の時計表示のみを更新する場合、連続して転送される画像データについての転送間隔は、一定時間以上となる。
そして、スタンバイ制御部３５は、この転送間隔においてパラシリ変換部１８およびシリパラ変換部２２を休止状態に制御すればよい。
【００８１】
上記実施形態は、携帯電話機１に適用した例である。
この他にもたとえば、本発明は、ＰＨＳ（Personal Handy Phone）端末、ＰＤＡ（Personal Data Assistant）、携帯ゲーム機器、携帯電子ブック、電子ペーパなどの電子機器に適用してもよい。
本発明は、表示内容を更新する時のみにデータ通信がなされる表示装置において好適に適用できる。
【００８２】
上記実施形態は、メイン表示更新部３２およびサブ表示更新部３３として機能するＣＰＵ１１と、メイン表示部２４およびサブ表示部２５との間に、データを転送するシリパラ変換部２２とパラシリ変換部１８とを設けている。
本発明は、この他にもたとえば、ＣＰＵ１１と表示部との間に、光通信によるデータの転送部を設け、この転送部を休止状態に制御するために利用することもできる。
【符号の説明】
【００８３】
１…携帯電話機（電子機器）、１８…パラシリ変換部（転送部の一種）、２２…シリパラ変換部（転送部の一種）、２４…メイン表示部（第１表示部）、２５…サブ表示部（第２表示部）、２６…バッテリ、３２…メイン表示更新部（第１表示更新部）、３３…サブ表示更新部（第２表示更新部）、３４…表示更新停止部（停止制御部）、３５…スタンバイ制御部（休止制御部）、ＴＡ…転送間隔、ＴＣ…休止移行期間、ＴＢ…起動移行期間、Ａ…経過時間
【図１】
2011028178.tif 000003
【図２】
2011028178.tif 000004
【図３】
2011028178.tif 000005
【図４】
2011028178.tif 000006
【図５】
2011028178.tif 000007
【図６】
2011028178.tif 000008
【図７】
2011028178.tif 000009
【図８】
2011028178.tif 000010
【図９】
2011028178.tif 000011
【図１０】
2011028178.tif 000012